(57)【要約】【課題】  迅速な設置を可能にすると共に、通気機能及び防水機能の信頼性の高い軒先換気構造体を提供する。【解決手段】  軒先換気構造体１は、軒先部材１０と、軒先部材１０内に取付けられた換気部材２０とから構成されている。軒先部材１０は、屋根材５０に平行状態に取付けられた傾斜部１１と、傾斜部１１に庇部１２を介して接続された第１垂直部１３と、第１垂直部１３に垂下部１４を介して接続された、開口１８を有する底面部１５と、底面部１５に接続され、シール部材２３を介して鼻隠し５６の外面に沿って設置された第２垂直部１６とを備えている。換気部材２０は、上下に貫通する多数の通気孔を有している。このように、軒先換気構造体１は軒先部分９に対応した形状の軒先部材１０に換気部材２０が一体化された状態となっている。従って、軒先換気構造体１の軒先部分９への取付けが容易になると共に、通気機能及び防水機能の信頼性が向上する。【選択図】  図７
2013060746.tif 000002
【特許請求の範囲】
【請求項１】
斜め下方に延びる屋根材と鼻隠しとからなる軒先部分に設置する軒先換気構造体であって、
前記屋根材に対して平行状態で幅方向に向かって斜め下方に延びる傾斜部と、前記傾斜部の下方側に接続され、下方に延びる第１垂直部と、前記第１垂直部の下方側に接続され、前記鼻隠しの外面に向かって延びると共に長手方向に所定間隔で複数の開口が形成された底面部と、前記底面部に接続され、前記鼻隠しの前記外面に沿って上方に延びる第２垂直部とを有する軒先部材と、
前記第１垂直部の内面と前記第２垂直部の内面との間に取り付けられ、前記幅方向の断面が四角形形状を有すると共に前記長手方向に延びる棒形状を有し、下方の面から上方の面へ貫通する複数の通気孔を有する換気部材とを備え、
前記底面部の内面と前記換気部材の前記下方の面との間に空間が設けられる、軒先換気構造体。
【請求項２】
前記底面部は水平状態に配置され、
前記第１垂直部と前記底面部とは、前記第１垂直部から下方に延長される垂直面と、前記垂直面の下端に接続され、前記底面部に向かって斜め上方に延びる傾斜面とからなる垂下部を介して接続される、請求項１記載の軒先換気構造体。
【請求項３】
前記傾斜面には、前記長手方向に所定間隔で水抜き孔が形成される、請求項２記載の軒先換気構造体。
【請求項４】
前記開口の各々は、前記底面部から前記垂下部の前記傾斜面の一部まで連続して形成される、請求項２記載の軒先換気構造体。
【請求項５】
前記底面部は水平状態に配置され、
前記第１垂直部と前記底面部とは、前記第１垂直部から斜め外方下方に延長される第１傾斜面と、前記第１傾斜面の下端に接続され、前記底面部に向かって前記第１傾斜面と平行に斜め上方に延びる第２傾斜面とからなる鍔部を介して接続される、請求項１記載の軒先換気構造体。
【請求項６】
前記底面部は水平状態に配置され、
前記第１垂直部と前記底面部とは、前記第１垂直部から下方に延長される第１垂直面と、前記第１垂直面の下端に接続され、前記底面部に向かって前記第１垂直面と平行に上方に延びる第２垂直面とからなる垂下部を介して接続される、請求項１記載の軒先換気構造体。
【請求項７】
前記底面部は前記第２垂直部に向かって斜め上方に延びるように配置され、
前記底面部には、前記第１垂直部の近傍で前記長手方向に所定間隔で水抜き孔が形成される、請求項１記載の軒先換気構造体。
【請求項８】
斜め下方に延びる屋根材と鼻隠しとからなる軒先部分に設置する軒先換気構造体であって、
前記屋根材に対して平行状態で幅方向に向かって斜め下方に延びる傾斜部と、前記傾斜部の下方側に接続され、下方に延びると共に長手方向に所定間隔で複数の開口が形成された第１垂直部と、前記第１垂直部の下方側に接続され、前記鼻隠しの外面に向かって斜め上方に延びる底面部と、前記底面部に接続され、前記鼻隠しの前記外面に沿って上方に延びる第２垂直部とを有する軒先部材と、
前記第１垂直部の内面と前記第２垂直部の内面との間に取り付けられ、前記幅方向の断面が四角形形状を有すると共に前記長手方向に延びる棒形状を有し、下方の面から上方の面へ貫通する複数の通気孔を有する換気部材とを備え、
前記換気部材の前記第１垂直部に取り付けられる面は前記開口より上方に位置し、
前記底面部には、前記第１垂直部の近傍で前記長手方向に所定間隔で水抜き孔が形成される、軒先換気構造体。
【請求項９】
前記底面部と前記第２垂直部とは、前記底面部から前記鼻隠しの前記外面に向かって延長される第１水平面と、前記第１水平面の前記鼻隠し側の端部に接続され、前記第２垂直部に向かって前記第１水平面と平行に延びる第２水平面とからなる鍔部を介して接続され、
前記鍔部の先端は、前記鼻隠しの前記外面に当接する、請求項８記載の軒先換気構造体。
【請求項１０】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２５ｍｍである、請求項１から請求項９のいずれかに記載の軒先換気構造体。
【請求項１１】
前記傾斜部と前記第１垂直部とは、前記傾斜部から斜め下方に延長される第１延長面と、前記第１延長面の下端に接続され、前記第１垂直部に向かって前記第１延長面と平行に斜め上方に延びる第２延長面とからなる庇部を介して接続される、請求項１から請求項１０のいずれかに記載の軒先換気構造体。
【発明の詳細な説明】
【技術分野】
【０００１】
この発明は軒先換気構造体に関し、特に、家屋における小屋裏空間の自然換気を図るために、軒先部分に取付けられる軒先換気構造体に関するものである。
【背景技術】
【０００２】
図２５は特許文献１で開示された軒先換気構造体の軒先部分への取付状態を示す概略端面図であり、図２６は図２５で示したＸ部分の拡大図である。
【０００３】
これらの図を参照して、軒先部分８０は、幅方向（図の左方向）に向かって斜め下方に延びる垂木８１上に設置された屋根板８２と、その外面に外壁８４が取付けられた、垂木８１を下方から支持する柱８３と、垂木８１の下端に接続され下方に延びる鼻隠し材８５と、その一方端が鼻隠し材８５の下端に接続され、その他方端が軒先換気構造体である軒裏の換気構造７０を介して外壁８３に接続される軒天材８６とから構成されている。
【０００４】
軒裏の換気構造７０は、幅方向の断面が凹凸板形状に形成され、長手方向（図の貫通方向）に延びる換気部材７１と、幅方向の断面が凹凸板形状に形成され、換気部材７１に対して外方側（図の左側）から嵌合する、軒天材８６の他方端を支持する軒天材支持金具７５とから構成されている。
【０００５】
換気部材７１は、後述する軒天材支持金具７５の固定片７６と共に固定金具８７で外壁８４に固定される外壁固定部７２と、外壁固定部７２の下端に接続され、外方側に突出する凸形状の取付部７３と、取付部７３の下端に接続された凹形状の内包部７４とを備えている。尚、取付部７３の頂点側部分には、通気孔７９が長手方向に複数形成されている。又、内包部７４と外壁８４との間にはスペースが形成されている。
【０００６】
軒天材支持金具７５は、換気部材７１の外壁固定部７２と共に固定金具８７で外壁８４に固定される固定片７６と、固定片７６の下端に接続され、外方側に突出する凸形状の嵌合部７７と、嵌合部７７の下端に接続され、軒天材８６の他方端を支持する凹形状の固定部７８とを備えている。そして、図で示す取付状態においては、換気部材７１の取付部７３に嵌合部７７が嵌合している。尚、軒天材８６の他方端は固定部７８の角部８８と先端部８９とによって支持されており、図２６の二点鎖線で示すように、軒天材支持金具７５は水平から所定の角度までの間の配置状態の軒天材８６を自在に支持することができる。
【０００７】
このような軒裏の換気構造７０においては、通気状態にあっては、図２６の矢印で示されているように換気部材７１の内包部７４と外壁８４との間から外気が侵入し、換気部材７１の取付部７３の通気孔７９を介して軒裏内（小屋裏内）へと移動する。一方、軒裏内の空気は、図２６の矢印と反対の流れで外部へと排出される。
又、雨水は空気と同じく換気部材７１の内包部７４と外壁８４との間から浸入する場合がある。しかしながら、換気部材７１の内包部７４と外壁８４との間から通気孔７９までの距離が長く、換気部材７１は幅方向の断面が凹凸板形状に形成されているため、雨水が軒裏内に浸入し難くなる。このように、軒裏の換気構造７０は通気性能と防水性能とを合わせて発揮する構成となっている。
【先行技術文献】
【特許文献】
【０００８】
【特許文献１】特開２００８−１０１３９５号公報
【発明の概要】
【発明が解決しようとする課題】
【０００９】
上記のような従来の軒先換気構造体では、設置時に換気部材に対して軒天材支持金具を嵌合して組合わせた状態で外壁などに取付ける必要があるため、迅速な設置が困難であった。
【００１０】
又、雨水の浸入は凹凸板形状の換気部材によって移動距離を長くして防止しているのみであるため、暴風雨等で雨量が極端に増加した時の防水機能としての信頼性が十分ではなかった。
【００１１】
この発明は、上記のような課題を解決するためになされたもので、迅速な設置を可能にすると共に、通気機能及び防水機能の信頼性の高い軒先換気構造体を提供することを目的とする。
【課題を解決するための手段】
【００１２】
上記の目的を達成するために、請求項１記載の発明は、斜め下方に延びる屋根材と鼻隠しとからなる軒先部分に設置する軒先換気構造体であって、屋根材に対して平行状態で幅方向に向かって斜め下方に延びる傾斜部と、傾斜部の下方側に接続され、下方に延びる第１垂直部と、第１垂直部の下方側に接続され、鼻隠しの外面に向かって延びると共に長手方向に所定間隔で複数の開口が形成された底面部と、底面部に接続され、鼻隠しの外面に沿って上方に延びる第２垂直部とを有する軒先部材と、第１垂直部の内面と第２垂直部の内面との間に取り付けられ、幅方向の断面が四角形形状を有すると共に長手方向に延びる棒形状を有し、下方の面から上方の面へ貫通する複数の通気孔を有する換気部材とを備え、底面部の内面と換気部材の下方の面との間に空間が設けられるものである。
【００１３】
このように構成すると、換気部材は軒先部材に一体化される。
【００１４】
請求項２記載の発明は、請求項１記載の発明の構成において、底面部は水平状態に配置され、第１垂直部と底面部とは、第１垂直部から下方に延長される垂直面と、垂直面の下端に接続され、底面部に向かって斜め上方に延びる傾斜面とからなる垂下部を介して接続されるものである。
【００１５】
このように構成すると、垂下部の下端は幅方向の断面において鋭角に形成される。
【００１６】
請求項３記載の発明は、請求項２記載の発明の構成において、傾斜面には、長手方向に所定間隔で水抜き孔が形成されるものである。
【００１７】
このように構成すると、垂下部の内面に溜まる水が排出される。
【００１８】
請求項４記載の発明は、請求項２記載の発明の構成において、開口の各々は、底面部から垂下部の傾斜面の一部まで連続して形成されるものである。
【００１９】
このように構成すると、垂下部の内面に溜まる水が開口を介して排出される。
【００２０】
請求項５記載の発明は、請求項１記載の発明の構成において、底面部は水平状態に配置され、第１垂直部と底面部とは、第１垂直部から斜め外方下方に延長される第１傾斜面と、第１傾斜面の下端に接続され、底面部に向かって第１傾斜面と平行に斜め上方に延びる第２傾斜面とからなる鍔部を介して接続されるものである。
【００２１】
このように構成すると、鍔部の下方端から雨滴は落下する。
【００２２】
請求項６記載の発明は、請求項１記載の発明の構成において、底面部は水平状態に配置され、第１垂直部と底面部とは、第１垂直部から下方に延長される第１垂直面と、第１垂直面の下端に接続され、底面部に向かって第１垂直面と平行に上方に延びる第２垂直面とからなる垂下部を介して接続されるものである。
【００２３】
このように構成すると、垂下部の両面はいずれも垂直になる。
【００２４】
請求項７記載の発明は、請求項１記載の発明の構成において、底面部は第２垂直部に向かって斜め上方に延びるように配置され、底面部には、第１垂直部の近傍で長手方向に所定間隔で水抜き孔が形成されるものである。
【００２５】
このように構成すると、第１垂直部と底面部との接続部分が単純化する。
【００２６】
請求項８記載の発明は、斜め下方に延びる屋根材と鼻隠しとからなる軒先部分に設置する軒先換気構造体であって、屋根材に対して平行状態で幅方向に向かって斜め下方に延びる傾斜部と、傾斜部の下方側に接続され、下方に延びると共に長手方向に所定間隔で複数の開口が形成された第１垂直部と、第１垂直部の下方側に接続され、鼻隠しの外面に向かって斜め上方に延びる底面部と、底面部に接続され、鼻隠しの外面に沿って上方に延びる第２垂直部とを有する軒先部材と、第１垂直部の内面と第２垂直部の内面との間に取り付けられ、幅方向の断面が四角形形状を有すると共に長手方向に延びる棒形状を有し、下方の面から上方の面へ貫通する複数の通気孔を有する換気部材とを備え、換気部材の第１垂直部に取り付けられる面は開口より上方に位置し、底面部には、第１垂直部の近傍で長手方向に所定間隔で水抜き孔が形成されるものである。
【００２７】
このように構成すると、換気部材は軒先部材に一体化されると共に、第１垂直部と底面部との接続部分が単純化する。又、開口の通気方向と換気部材の通気方向とが交差する。
【００２８】
請求項９記載の発明は、請求項８記載の発明の構成において、底面部と第２垂直部とは、底面部から鼻隠しの外面に向かって延長される第１水平面と、第１水平面の鼻隠し側の端部に接続され、第２垂直部に向かって第１水平面と平行に延びる第２水平面とからなる鍔部を介して接続され、鍔部の先端は、鼻隠しの外面に当接するものである。
【００２９】
このように構成すると、鍔部と鼻隠しの外面とが当接状態となる。
【００３０】
請求項１０記載の発明は、請求項１から請求項９のいずれかに記載の発明の構成において、換気部材は、各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２５ｍｍであるものである。
【００３１】
このように構成すると、一定要件下における水の浸入が確実に阻止される。
【００３２】
請求項１１記載の発明は、請求項１から請求項１０のいずれかに記載の発明の構成において、傾斜部と第１垂直部とは、傾斜部から斜め下方に延長される第１延長面と、第１延長面の下端に接続され、第１垂直部に向かって第１延長面と平行に斜め上方に延びる第２延長面とからなる庇部を介して接続されるものである。
【００３３】
このように構成すると、庇部は屋根材の下面に位置する。
【発明の効果】
【００３４】
以上説明したように、請求項１記載の発明は、換気部材は軒先部材に一体化されるため、軒先部分への取付が容易で通気機能及び防水機能の信頼性が向上する。
【００３５】
請求項２記載の発明は、請求項１記載の発明の効果に加えて、垂下部の下端は幅方向の断面において鋭角に形成されるため、垂直面に沿って流れる雨滴の水切れが向上する。
【００３６】
請求項３記載の発明は、請求項２記載の発明の効果に加えて、垂下部の内面に溜まる水が排出されるため、垂下部の耐久性が向上する。
【００３７】
請求項４記載の発明は、請求項２記載の発明の効果に加えて、垂下部の内面に溜まる水が開口を介して排出されるため、垂下部の耐久性が向上すると共に水抜き孔が不要となる。
【００３８】
請求項５記載の発明は、請求項１記載の発明の効果に加えて、鍔部の下方端から雨滴は落下するため、樋の設置許容範囲が拡大する。
【００３９】
請求項６記載の発明は、請求項１記載の発明の効果に加えて、垂下部の両面はいずれも垂直になるため、垂下部の内外面に沿った雨滴の水切れが向上する。
【００４０】
請求項７記載の発明は、請求項１記載の発明の効果に加えて、第１垂直部と底面部との接続部分が単純化するため、製造が容易になると共に開口の形成スペースが拡大する。
【００４１】
請求項８記載の発明は、換気部材は軒先部材に一体化されるため、軒先部分への取付が容易で通気機能及び防水機能の信頼性が向上する。又、第１垂直部と底面部との接続部分が単純化するため、製造が容易になる。更に、開口の通気方向と換気部材の通気方向とが交差するため、通気機能が向上する。
【００４２】
請求項９記載の発明は、請求項８記載の発明の効果に加えて、鍔部と鼻隠しの外面とが当接状態となるため、防火上の信頼性が向上する。
【００４３】
請求項１０記載の発明は、請求項１から請求項９のいずれかに記載の発明の効果に加えて、一定要件下における水の浸入が確実に阻止されるため、軒先換気構造体の軽量化及びコスト低減に寄与する。
【００４４】
請求項１１記載の発明は、請求項１から請求項１０のいずれかに記載の発明の効果に加えて、庇部は屋根材の下面に位置するため、後で設置される屋根材の位置決めが容易になる。
【図面の簡単な説明】
【００４５】
【図１】この発明の第１の実施の形態による軒先換気構造体の外観形状を示した正面図である。
【図２】図１で示したＩＩ−ＩＩラインの拡大断面図である。
【図３】図２で示したＩＩＩ−ＩＩＩラインから見た縮小図である。
【図４】図２で示した換気部材の外観形状を示した概略斜視図である。
【図５】図１で示した軒先換気構造体の軒先部分への第１の取付工程を示す概略端面図である。
【図６】図１で示した軒先換気構造体の軒先部分への図５で示す第１の取付工程に続く第２の取付工程を示す概略端面図である。
【図７】図１で示した軒先換気構造体の軒先部分への図６で示す第２の取付工程が完了した取付状態を示す概略端面図である。
【図８】図１で示した軒先換気構造体の他の軒先部分への取付状態を示す概略端面図である。
【図９】この発明の第２の実施の形態による軒先換気構造体を示す断面図である。
【図１０】図９で示したＸ−Ｘラインから見た縮小図である。
【図１１】図９で示した軒先換気構造体の軒先部分への取付状態を示す概略端面図である。
【図１２】この発明の第３の実施の形態による軒先換気構造体を示す断面図である。
【図１３】図１２で示したＸＩＩＩ−ＸＩＩＩラインから見た縮小図である。
【図１４】この発明の第４の実施の形態による軒先換気構造体を示す断面図である。
【図１５】図１４で示したＸＶ−ＸＶラインから見た縮小図である。
【図１６】この発明の第５の実施の形態による軒先換気構造体を示す断面図である。
【図１７】図１６で示したＸＶＩＩ−ＸＶＩＩラインから見た縮小図である。
【図１８】この発明の第６の実施の形態による軒先換気構造体を示す断面図である。
【図１９】図１８で示したＸＩＸ−ＸＩＸラインから見た縮小図である。
【図２０】この発明の第７の実施の形態による軒先換気構造体を示す断面図である。
【図２１】図２０で示したＸＸＩ−ＸＸＩラインから見た縮小図である。
【図２２】この発明の第８の実施の形態による軒先換気構造体を示す断面図である。
【図２３】図２２で示したＸＸＩＩＩ−ＸＸＩＩＩラインから見た縮小図である。
【図２４】図２２で示した軒先換気構造体の軒先部分への取付状態を示す概略端面図である。
【図２５】従来の軒先換気構造体の軒先部分への取付状態を示す概略端面図である。
【図２６】図２５で示したＸ部分の拡大図である。
【発明を実施するための形態】
【００４６】
図１はこの発明の第１の実施の形態による軒先換気構造体の外観形状を示した正面図であり、図２は図１で示したＩＩ−ＩＩラインの拡大断面図であり、図３は図２で示したＩＩＩ−ＩＩＩラインから見た縮小図である。
【００４７】
これらの図を参照して、軒先換気構造体１は、鋼板のプレス加工によって形成された軒先部材１０と、軒先部材１０内に取付けられた換気部材２０とから構成されている。
【００４８】
軒先部材１０は、幅方向（図２の右方向）に向かって斜め下方に延びる傾斜部１１と、傾斜部１１の下方側に庇部１２を介して接続され、下方に延びる第１垂直部１３と、第１垂直部１３の下方側に垂下部１４を介して接続され、後述する図示しない鼻隠しの外面（図２の左側）に向かって水平状態で延びる底面部１５と、底面部１５に接続され、第１垂直部１３と平行に上方に延びる第２垂直部１６とから構成されている。尚、底面部１５には、長手方向（図３の上下方向）に所定間隔で複数の開口１８が形成されている。又、第２垂直部１６の外面の下方には、幅方向の断面が矩形形状を有すると共に長手方向に延びる棒形状に形成された、ゴム発泡体等よりなるシール部材２３が接着剤等によって取付けられている。
【００４９】
又、庇部１２は、傾斜部１１から同一勾配で斜め下方に延長される第１延長面３１と、第１延長面３１の下端に接続され、第１垂直部１３に向かって第１延長面３１と平行に斜め上方に延びる第２延長面３２とから構成されている。尚、第２延長面３２と第１垂直部１３との接続角度、即ち傾斜部１１と第１垂直部１３との接続角度θは６３°に設定されている。
【００５０】
更に、垂下部１４は、第１垂直部１３から下方に延長される垂直面３３と、垂直面３３の下端に接続され、底面部１５に向かって斜め上方に延びる傾斜面３４とから構成されている。
【００５１】
換気部材２０は、幅方向の断面が矩形形状を有すると共に長手方向に延びる棒形状に形成されている。そして、換気部材２０は軒先部材１０の第１垂直部１３の内面と第２垂直部１６の内面との間に接着剤又は両面テープ等によって取付けられており、その下方の面と軒先部材１０の底面部１５の内面との間には空間３５が形成されている。
【００５２】
ここで、換気部材２０の詳細な構造及び効果について説明する。
【００５３】
図４は図２で示した換気部材の外観形状を示した概略斜視図である。
【００５４】
図を参照して、上述した通り、換気部材２０は幅方向の断面が矩形形状を有し、長手方向に対しては軒先部材の長手方向の長さとほぼ同一長さを有する棒形状を有している。具体的には、換気部材２０は各々が凹凸断面形状を有する合成樹脂シートを複数積層した状態で熱融着によって相互に接続して一体化されている。そして、下方の面から上方の面へ貫通する通気孔２１が多数形成されている。
【００５５】
この実施の形態においては、矩形断面形状の幅方向の長さＡは３０ｍｍであり、高さに相当する長さＢは２５ｍｍとなっている。又、通気孔２１はほぼ１ｍｍ×４ｍｍの長方形形状の開口寸法に設定されている。尚、このような換気部材２０は、特許第２６１０３４２号において開示されている棟カバー材と基本的に同一構造である。これによって一定条件下にあっては、換気部材２０は通気孔２１を介しての通気を可能にすると共に、通気孔２１を介しての雨水の浸入を阻止する通気性能及び防水性能を発揮するものとなる。そして、このような換気部材２０を使用することによって、軒先換気構造体の軽量化及びコスト低減に寄与することになる。
【００５６】
このように、図１で示した軒先換気構造体１は、軒先部材１０と通気性能及び防水性能を発揮する換気部材２０とを一体化したものである。
【００５７】
次に、図１で示した軒先換気構造体１の軒先部分への取付けについて説明する。
【００５８】
図５は図１で示した軒先換気構造体の軒先部分への第１の取付工程を示す概略端面図である。
【００５９】
図を参照して、軒先部分９は、幅方向に向かって斜め下方に延びる、屋根材の一部を構成する野地板５１と、野地板５１の下端側部分に設置され、垂直下方に延びる鼻隠し下地５５及び鼻隠し５６とから構成されている。尚、鼻隠し下地５５及び鼻隠し５６の上端には、長手方向に延びる矩形形状の開口５７が形成されている。
【００６０】
そして、軒先部分９の野地板５１の上面及び鼻隠し５６の外面を覆うように、軒先換気構造体１を外方側（図の右側）から移動させ、傾斜部１１を野地板５１上に設置すると共にシール部材２３を鼻隠し５６の外面に当接させる。この時、ゴム発泡体等よりなるシール部材２３は鼻隠し５６の外面に当接して変形するため、第２垂直部１６を鼻隠し５６の外面に直接的に沿わせて設置する場合に比べて、軒先換気構造体１を容易に設置できる。
【００６１】
図６は図１で示した軒先換気構造体の軒先部分への図５で示す第１の取付工程に続く第２の取付工程を示す概略端面図である。
【００６２】
図を参照して、第１の取付工程によって軒先換気構造体１が軒先部分９に設置されると、傾斜部１１が野地板５１に対して平行状態で設置されると共に、第２垂直部１６がシール部材２３を介して鼻隠し５６の外面に沿って設置される。この時、シール部材２３を接着剤等で鼻隠し５６に固定しても良い。そして、この状態で傾斜面１１を複数の釘２９で野地板５１に固定する。更に、シール部材２３の下面をシーリング材４８で被覆して、シール部材２３の下面と第２垂直部１６及び鼻隠し５６の各々との間をシーリングする。
【００６３】
次に、野地板５１に固定された傾斜部１１の上面を覆うように防水紙５２を野地板５１及び傾斜部１１に設置する。すると、傾斜部１１が野地板５１の外方側にシール状態で設置される。そして、防水紙５２の上に下葺材５３を軒先換気構造体１の庇部１２の先端を基準にして設置する。このように、庇部１２によって下葺材５３の位置決めが容易になる。その後、下葺材５３の上に平板瓦５４を設置することで、屋根材５０が完成する。
【００６４】
次に、鼻隠し５６の外面における軒先換気構造体１の下方部分に、図示しない釘等によって受金具６１を固定し、受金具６１上に長手方向に延びる軒樋６２を設置する。そして、軒樋６２設置後に受金具６１の先端部分（爪部分）の各々を内方側に折り返し、軒樋６２を受金具６１に固定する。
【００６５】
図７は図１で示した軒先換気構造体の軒先部分への図６で示す第２の取付工程が完了した取付状態を示す概略端面図である。
【００６６】
図を参照して、第２の取付工程で説明した通り、野地板５１上に防水紙５２、下葺材５３及び平板瓦５４を設置して屋根材５０を形成すると共に、鼻隠し５６に軒樋６２を取付けることによって、軒先換気構造体１の軒先部分９への取付けが完了する。
【００６７】
そして、上述した通り、通気性能及び防水性能を有する換気部材２０は、軒先部分９の形状に対応した軒先部材１０に一体化された状態となっている。そのため、軒先換気構造体１の軒先部分９への取付けが容易になると共に、通気機能及び防水機能の信頼性が向上する。
【００６８】
又、上述した通り、第１垂直部１３と底面部１５とは、垂下部１４を介して接続されている。そして、垂下部１４の下端は幅方向の断面において鋭角に形成されているため、降雨時において垂下部１４の垂直面に沿って流れる雨滴が底面部１５側に廻らず水切れが向上する。従って、底面部１５の開口１８を介して不用意に軒先部材１０内に雨水が浸入する虞が低減する。
【００６９】
そして、通気状態にあっては、図の矢印で示されているように軒先部材１０の底面部１５の開口１８の各々から侵入した外気は、換気部材２０の通気孔を介して上方側に通過する。そして、換気部材２０を通過した空気は鼻隠し下地５５及び鼻隠し５６の野地板５１との間に形成された開口５７を介して小屋裏側（図の左側）へと移動する。又、小屋裏内の空気が外部に排出される状況の場合には、図の矢印と反対の流れになる。
【００７０】
又、上述した通り、換気部材２０の下方の面と軒先部材１０の底面部１５の内面との間には空間３５が形成されている。従って、換気部材２０の下方の面の全面が露出され、全ての通気孔を介して通気可能な状態となるため、換気部材２０の通気機能が確実に発揮される。
【００７１】
一方、雨水は主に軒先部材１０の底面部１５の開口１８の各々を介して軒先部材１０内に浸入する。浸入した雨水は上述した通り換気部材２０の通気孔を介しては上方側に移動することが出来ないように構成されている。従って、軒先部材１０内に浸入した雨水は、再度底面部１５の開口１８を介して外方に流れ出ることになる。
【００７２】
図８は図１で示した軒先換気構造体の他の軒先部分への取付状態を示す概略端面図であって、図７に対応するものである。
【００７３】
図を参照して、この取付状態においては、軒先部分９の鼻隠し下地５５及び鼻隠し５６が幅方向に向かって斜め上方に延びる配置形状となっている。従って、図２で示した幅方向の断面が矩形状のシール部材では、軒先換気構造体１の第２垂直部１６が鼻隠し５６の外面に沿ってシール状態で設置し難くなる。そこで、この取付状態においては、第２垂直部１６と鼻隠し５６との間に、幅方向の断面がこれらの間の形状に対応した台形形状のシール部材２４が設置されている。このようなシール部材２４によって、第２垂直部１６が配置形状の異なる軒先部分９の鼻隠し５６に対しても容易にシール状態で設置できると共に、軒先換気構造体１の取付状態が安定する。
【００７４】
図９はこの発明の第２の実施の形態による軒先換気構造体を示す断面図であって、第１の実施の形態の図２に対応するものであり、図１０は図９で示したＸ−Ｘラインから見た縮小図である。
【００７５】
これらの図を参照して、この実施の形態による軒先換気構造体２の基本的な構造は、第１の実施の形態による軒先換気構造体と同様であるので、相違点を中心に説明する。この実施の形態においては、第１垂直部１３と底面部１５との接続部の形状が相違している。即ち、第１垂直部１３と底面部１５とは、特定形状の鍔部２５を介して接続されている。
【００７６】
鍔部２５は、第１垂直部１３の下端から斜め外方下方に延長される第１傾斜面２６と、第１傾斜面２６の下端に接続され、底面部１５に向かって第１傾斜面２６と平行に斜め上方に延びる第２傾斜面２７とから構成されている。尚、第２傾斜面２７の下端側部分には、長手方向に所定間隔で複数の水抜き孔２８が形成されている。
【００７７】
次に、鍔部２５の効果について図１１を参照して説明する。
【００７８】
図１１は図９で示した軒先換気構造体の軒先部分への取付状態を示す概略端面図である。
【００７９】
図を参照して、軒先部分９への軒先換気構造体２の取付方法については、図５及び図６で示した第１の実施の形態による取付方法と同様である。そして、軒先部分９に設置された軒先換気構造体２においては、鍔部２５が外方側へ突出した状態となる。従って、図の一点鎖線矢印で示すように、第１垂直部１３に沿って流れる雨滴は、第１傾斜面２６を介して最も外方側に位置する鍔部２５の下方端から落下することになる。従って、雨滴が確実に軒樋６２に落下すると共に、図の二点鎖線で示すように軒樋６２を更に外方側へ設置できる等、軒樋６２の設置許容範囲が拡大する。
【００８０】
更に、鍔部２５の内面に溜まる水は水抜き孔２８を介して外部に排出される。従って、溜まり水による錆等が防止されるため、鍔部２５の耐久性が向上する。
【００８１】
図１２はこの発明の第３の実施の形態による軒先換気構造体を示す断面図であって、第１の実施の形態の図２に対応するものであり、図１３は図１２で示したＸＩＩＩ−ＸＩＩＩラインから見た縮小図である。
【００８２】
これらの図を参照して、この実施の形態による軒先換気構造体３の基本的な構造は、第１の実施の形態による軒先換気構造体と同様であるので、相違点を中心に説明する。この実施の形態においては、第１垂直部１３と底面部１５との接続部の形状が相違している。即ち、第１垂直部１３と底面部１５とは、特定形状の垂下部３６を介して接続されている。
【００８３】
垂下部３６は、第１垂直部１３から下方に延長される第１垂直面３７と、第１垂直面３７の下端に接続され、底面部１５に向かって第１垂直面３７と平行に上方に延びる第２垂直面３８とから構成されている。尚、第１垂直面３７と第２垂直面３８との接続部分（垂下部３６の下端）には、長手方向に所定間隔で複数の水抜き孔３９が形成されている。
【００８４】
このような垂下部３６においては、第１垂直面３７と第２垂直面３８とはいずれも垂直になるため、垂下部３６の内外面に沿った雨滴の水切れが更に向上する。そして、垂下部３６の内面に溜まる水は水抜き孔３９を介して外部に排出されるため、垂下部３６の耐久性が向上する。
【００８５】
図１４はこの発明の第４の実施の形態による軒先換気構造体を示す断面図であって、第１の実施の形態の図２に対応するものであり、図１５は図１４で示したＸＶ−ＸＶラインから見た縮小図である。
【００８６】
これらの図を参照して、この実施の形態による軒先換気構造体４の基本的な構造は、第１の実施の形態による軒先換気構造体と同様であるので、相違点を中心に説明する。この実施の形態においては、第１垂直部１３と底面部１５との接続部の形状が相違している。即ち、第１垂直部１３と底面部１５とは、特定形状の垂下部４０を介して接続されている。
【００８７】
垂下部４０は、第１の実施の形態による軒先換気構造体の垂下部と相似状であるが、若干大きく形成されている。更に、垂下部４０の傾斜面３４の下端側部分には、長手方向に所定間隔で複数の水抜き孔４１が形成されている。
【００８８】
このような垂下部４０においては、第１の実施の形態と同様、雨滴の水切れが向上すると共に、傾斜面３４に形成された水抜き孔４１を介して、垂下部４０の内面に溜まる雨水が外部に排出される。従って、溜まり水による錆等が防止されるため、垂下部４０の耐久性が向上する。
【００８９】
図１６はこの発明の第５の実施の形態による軒先換気構造体を示す断面図であって、第４の実施の形態の図１４に対応するものであり、図１７は図１６で示したＸＶＩＩ−ＸＶＩＩラインから見た縮小図である。
【００９０】
これらの図を参照して、この実施の形態による軒先換気構造体５の基本的な構造は、第４の実施の形態による軒先換気構造体と同様であるので、相違点を中心に説明する。この実施の形態においては、底面部１５の開口１８の形状が相違していると共に、垂下部４５に水抜き孔が形成されていない。即ち、底面部１５の開口１８の各々は、幅方向における底面部１５の中央付近から垂下部４５の傾斜面３４の下方部分まで連続して形成されている。
【００９１】
従って、垂下部４５の内面に溜まる雨水は、開口１８における傾斜面３４に形成された部分を介して外部に排出される。そのため、垂下部４５の耐久性が向上すると共に水抜き孔が不要となる。
【００９２】
更に、開口１８の各々は底面部１５の中央付近から垂下部４５の傾斜面３４の一部まで連続して形成されているため、第４の実施の形態による垂下部の水抜き孔に比べて、水抜き用の開口面積が増大する。従って、垂下部４５の内面に溜まる雨水の排出能力が大きくなる。
【００９３】
図１８はこの発明の第６の実施の形態による軒先換気構造体を示す断面図であって、第１の実施の形態の図２に対応するものであり、図１９は図１８で示したＸＩＸ−ＸＩＸラインから見た縮小図である。
【００９４】
これらの図を参照して、この実施の形態による軒先換気構造体６の基本的な構造は、第１の実施の形態による軒先換気構造体と同様であるので、相違点を中心に説明する。この実施の形態においては、第１垂直部１３と底面部１５との接続部の形状と、底面部１５の配置状態とが相違している。即ち、第１垂直部１３と底面部１５とが直接的に接続されていると共に、底面部１５は第２垂直部１６に向かって斜め上方に延びるように傾斜状態で配置されている。更に、底面部１５には、第１垂直部１３の近傍で長手方向に所定間隔で複数の水抜き孔４２が形成されている。
【００９５】
このような軒先換気構造体６においては、第１垂直部１３と底面部１５とが直接的に接続されているため、これらの接続部がプレス工程において単純化する。従って、軒先換気構造体６の製造が容易になる。更に、水平状態に配置された底面部１５と比べ、斜めに配置された底面部１５は表面積が拡大する、即ち開口１８の形成スペースを拡大することができるため、通気機能が更に向上する。
【００９６】
図２０はこの発明の第７の実施の形態による軒先換気構造体を示す断面図であって、第６の実施の形態の図１８に対応するものであり、図２１は図２０で示したＸＸＩ−ＸＸＩラインから見た縮小図である。
【００９７】
これらの図を参照して、この実施の形態による軒先換気構造体７の基本的な構造は、第６の実施の形態による軒先換気構造体と同様であるので、相違点を中心に説明する。この実施の形態においては、底面部１５には開口が形成されておらず、第１垂直部１３に開口１９が形成されている点が相違している。即ち、第６の実施の形態に比べて第１垂直部１３及び第２垂直部１６が下方に長くなるように形成されており、第１垂直部１３において換気部材２０が取付けられる面より下方側の部分に、長手方向に所定間隔で複数の開口１９が所謂切起しによって形成されている。従って、換気部材２０は開口１９の水平レベルより上方に位置する。
【００９８】
このような軒先換気構造体７においては、通気状態にあっては、図２０の矢印で示されているように第１垂直部１３の開口１９の各々から侵入した外気は、換気部材２０の通気孔を介して上方側に通過する。そして、換気部材２０を通過した空気は図示しない鼻隠しの開口を介して小屋裏側へと移動する。尚、開口１９は第１垂直部１３に形成されているため、開口１９の通気方向（水平方向）と換気部材２０の通気方向（垂直方向）とが交差する。即ち、外気は開口１９を介して略水平に軒先部材１０内に侵入することができる。従って、開口１９が底面部１５に形成されている場合、即ち外気が略垂直に軒先部材１０内に侵入する場合に比べて、外気が通り抜け易くなるため、通気機能が更に向上する。
【００９９】
又、雨水は主に軒先部材１０の第１垂直部１３の開口１９の各々を介して軒先部材１０内に浸入する。浸入した雨水は上述した通り換気部材２０の通気孔を介しては上方側に移動することが出来ないように構成されている。従って、軒先部材１０内に浸入した雨水は、底面部１５の水抜き孔４２を介して外方に流れ出ることになる。
【０１００】
尚、この実施の形態においては、換気部材２０の下方の面が水平状態になっているが、図２０の破線で示すように、換気部材２０の下方の面が第２垂直部１６に向かって斜め下方に延びる傾斜状態となるようにしても良い。これによって、換気部材２０の幅方向の断面が第２垂直部１６側において大きくなるため、換気部材２０に形成されている通気孔は第２垂直部１６側に行くに従って長くなる。即ち、換気部材２０は第２垂直部１６側に行くに従って防水機能が高くなる。そして、外気が開口１９を介して換気部材２０を通過して上方側へ移動する際、その移動距離は第１垂直部１３側より第２垂直部１６側の方が長くなる。従って、換気部材２０を通過する外気の速度は第２垂直部１６側において大きくなるため、換気部材２０の第２垂直部１６側において雨水が浸入し易くなる。そのため、換気部材２０の下方の面を上述した傾斜状態にすることによって、換気部材２０の防水機能が効率的に向上すると共に、換気部材２０の下方の面と底面部１５の内面との間のスペースを有効に利用できる。
【０１０１】
図２２はこの発明の第８の実施の形態による軒先換気構造体を示す断面図であって、第７の実施の形態の図２０に対応するものであり、図２３は図２２で示したＸＸＩＩＩ−ＸＸＩＩＩラインから見た縮小図である。
【０１０２】
これらの図を参照して、この実施の形態による軒先換気構造体８の基本的な構造は、第７の実施の形態による軒先換気構造体と同様であるので、相違点を中心に説明する。この実施の形態においては、底面部１５と第２垂直部１６との接続部の形状が特に相違している。即ち、底面部１５と第２垂直部１６とは、特定形状の鍔部６５を介して接続されている。又、底面部１５の傾斜状態も若干相違しており、第１垂直部１３と底面部１５との接続角度が第７の実施の形態のものより小さくなっている。そのため、水切り効果が更に向上している。
【０１０３】
鍔部６５は、底面部１５から図示しない鼻隠しの外面（図２２の左側）に向かって延長される第１水平面６６と、第１水平面６６の鼻隠し側の端部に接続され、第２垂直部１６に向かって第１水平面６６と平行に延びる第２水平面６７とから構成されている。そして、鍔部６５の第２水平面６７上には、幅方向の断面が矩形形状を有すると共に長手方向に延びる棒形状に形成された、ゴム発泡体等よりなるシール部材６８が接着等により取付けられている。尚、シール部材６８の一方端部は、平面視において第２水平面６７から鼻隠し側に若干突出するように設置されている。
【０１０４】
次に、鍔部６５の効果について図２４を参照して説明する。
【０１０５】
図２４は図２２で示した軒先換気構造体の軒先部分への取付状態を示す概略端面図である。
【０１０６】
図を参照して、軒先部分９への軒先換気構造体８の取付方法については、図５及び図６で示した第１の実施の形態による取付方法と略同様である。軒先部分９に設置された軒先換気構造体８においては、鍔部６５の先端及びシール部材６８が、鼻隠し５６に当接している。そして、この状態で鍔部６５の下面の先端側部分と鼻隠し５６との間をシーリング材６９で被覆している。従って、軒先部材１０は鼻隠し５６に対して確実にシール状態で設置される。
【０１０７】
又、軒先換気構造体を備える家屋に火災が発生した場合、例えば第１の実施の形態による軒先換気構造体では、図７で示したシール部材２３等が火災による熱で溶けてしまい、軒先部材１０の第２垂直部１６と鼻隠し５６との間に隙間が生じる。すると、この隙間から外気が大量に小屋裏内に侵入し、火災の被害が大きくなってしまう虞がある。しかしながら、この実施の形態による軒先換気構造体８にあっては、例えば火災による熱でシール部材６８が溶けた場合であっても、鋼板よりなる鍔部６５の先端が鼻隠し５６に当接しているため、外気が不用意に小屋裏内に侵入する虞が無くなる。そのため、防火上の信頼性が向上する。
【０１０８】
尚、上記の各実施の形態では、軒先部分の構造を特定しているが、斜め下方に延びる屋根材と、その上端側部分に開口が形成された鼻隠しとに相当する構造であれば、他の構造であっても同様に適用出来る。
【０１０９】
又、上記の各実施の形態では、鼻隠しの開口は長手方向に延びる矩形形状に形成されているが、例えば複数の矩形形状の開口が整列する不連続形状等、他の開口形状に形成されていても良い。
【０１１０】
更に、上記の各実施の形態では、傾斜部は屋根材の野地板と防水紙との間に設置されているが、傾斜部は屋根材に対して平行状態となるように設置されていれば、他の設置状態であっても良い。
【０１１１】
更に、上記の各実施の形態では、傾斜部と第１垂直部との接続角度が６３°に設定されているが、軒先部分の屋根材と鼻隠しとの種々の配置状態に合わせて、他の接続角度に設定しても良い。
【０１１２】
更に、上記の各実施の形態では、底面部又は第１垂直部に対して特定形状の開口が形成されているが、軒先換気構造体の通気機能を確保できる形状であれば、開口は他の形状であっても良い。
【０１１３】
更に、上記の各実施の形態では、換気部材の寸法、形状を特定しているが、同様の通気性能及び防水性能を発揮するものであって、幅方向の断面が四角形形状を有していれば、他の寸法、形状であっても良い。この場合、特許第２６１０３４２号の明細書に記載されている風雨試験と同一の条件で同一の効果を奏するものであることが好ましい。
【０１１４】
更に、上記の各実施の形態では、換気部材は単体で使用されているが、例えば幅方向の断面が矩形状の換気部材を上下方向に所定間隔で複数設置しても良い。これによって、換気部材の各々の通気孔が不連続になるので、雨水が通気孔を介して小屋裏側へ移動し難くなる。従って、通気機能は損なわずに、軒先換気構造体の防水機能が向上する。
【０１１５】
更に、上記の各実施の形態では、換気部材は接着剤又は両面テープによって第１垂直部の内面と第２垂直部の内面とに取付けられているが、例えばネジによる固定等、換気部材は他の方法で取付けられていても良い。
【０１１６】
更に、上記の各実施の形態では、傾斜部と第１垂直部とは庇部を介して接続されているが、庇部は無くても良く、傾斜部と第１垂直部とが直接的に接続されていても良い。
【０１１７】
更に、上記の第１〜第７の実施の形態では、第２垂直部の外面に特定形状のシール部材が取付けられているが、シール部材は第２垂直部を鼻隠しの外面にシール状態で取付けることができるものであれば、他の形状であっても良い。又は、シール部材は無くても良く、その場合、第２垂直部を鼻隠しの外面に直接的に沿わせて設置すれば良い。
【０１１８】
更に、上記の第１〜第５の実施の形態では、底面部は水平状態に配置されているが、第６〜第８の実施の形態のように、底面部は傾斜状態で配置されていても良い。
【０１１９】
更に、上記の第１〜第５の実施の形態では、第１垂直部と底面部とは垂下部等の特定の接続部を介して接続されているが、このような特定の接続部は無くても良く、第１垂直部と底面部とが直接的に接続されていても良い。
【０１２０】
更に、上記の第２〜第４の実施の形態では、第１垂直部と底面部との接続部（垂下部等）に水抜き孔が形成されているが、水抜き孔は無くても良い。
【０１２１】
更に、上記の第１の実施の形態では、垂下部には水抜き孔が形成されていないが、垂下部での溜まり水を外部に排出できるように、垂下部に水抜き孔を形成しても良い。
【０１２２】
更に、上記の第５の実施の形態では、開口の各々は底面部の中央付近から垂下部の傾斜面の一部として下方部分まで連続して形成されているが、傾斜面の一部としては例えば底面部の中央付近から垂下部の傾斜面の上方部分まで連続して形成されているものであっても良い。
【０１２３】
更に、上記の第８の実施の形態では、鍔部の第２水平面上にシール部材が取付けられているが、シール部材は無くても良い。
【符号の説明】
【０１２４】
１〜８…軒先換気構造体
９…軒先部分
１０…軒先部材
１１…傾斜部
１２…庇部
１３…第１垂直部
１４、３６、４０、４５…垂下部
１５…底面部
１６…第２垂直部
１８、１９…開口
２０…換気部材
２１…通気孔
２５、６５…鍔部
２６…第１傾斜面
２７…第２傾斜面
３１…第１延長面
３２…第２延長面
３３…垂直面
３４…傾斜面
３５…空間
３７…第１垂直面
３８…第２垂直面
４１、４２…水抜き孔
５０…屋根材
５６…鼻隠し
６６…第１水平面
６７…第２水平面
尚、各図中同一符号は同一又は相当部分を示す。
【図１】
2013060746.tif 000003
【図２】
2013060746.tif 000004
【図３】
2013060746.tif 000005
【図４】
2013060746.tif 000006
【図５】
2013060746.tif 000007
【図６】
2013060746.tif 000008
【図７】
2013060746.tif 000009
【図８】
2013060746.tif 000010
【図９】
2013060746.tif 000011
【図１０】
2013060746.tif 000012
【図１１】
2013060746.tif 000013
【図１２】
2013060746.tif 000014
【図１３】
2013060746.tif 000015
【図１４】
2013060746.tif 000016
【図１５】
2013060746.tif 000017
【図１６】
2013060746.tif 000018
【図１７】
2013060746.tif 000019
【図１８】
2013060746.tif 000020
【図１９】
2013060746.tif 000021
【図２０】
2013060746.tif 000022
【図２１】
2013060746.tif 000023
【図２２】
2013060746.tif 000024
【図２３】
2013060746.tif 000025
【図２４】
2013060746.tif 000026
【図２５】
2013060746.tif 000027
【図２６】
2013060746.tif 000028